(57)【要約】【課題】  ユーザによる煩雑な作業やシステム構築のための大きなコストを要することなく、複数のコンテンツデータの中から互いに関連性のあるコンテンツデータを選択し、そして、それらを連続的に再生させることができるようにすることである。【解決手段】  携帯電話機では、コンテンツデータベースに保存される各コンテンツデータが、コンテンツ情報として、コンテンツ情報データベースに表形式で登録される。そして、携帯電話機では、連続再生の際に、コンテンツ情報について条件が入力されることにより、当該条件に合致するコンテンツデータが選出され、選出されたコンテンツデータのみを、順に、連続的に再生させることができる。【選択図】        図４
2005092673.tif 000002
【特許請求の範囲】
【請求項１】
コンテンツデータを記憶する第１の記憶手段と、
前記第１の記憶手段に記憶されたコンテンツデータの属性を記憶する第２の記憶手段と、
前記第１の記憶手段に記憶されたコンテンツデータについての条件を入力される条件入力手段と、
前記条件入力手段に入力された条件に基づいて、前記第２の記憶手段に記憶された属性を検索することにより、前記第１の記憶手段に記憶されたコンテンツデータの中で当該条件に合致するものを決定する、決定手段と、
前記決定手段によって前記条件に合致すると決定されたコンテンツデータを、前記第１の記憶手段から読込み、連続して再生させる再生手段とを含む、コンテンツデータ再生装置。
【請求項２】
外部の装置からメールを送受信するメール送受信手段をさらに含み、
前記コンテンツデータの属性は、当該コンテンツデータが添付されていたメールの、件名、送信元についての情報、送信宛先についての情報、送信日時、および、受信日時の中の少なくとも１つを含む、請求項１に記載のコンテンツデータ再生装置。
【請求項３】
コンテンツデータを提供可能な外部の装置からコンテンツデータを受信するコンテンツデータ受信手段をさらに含み、
前記コンテンツデータの属性は、当該コンテンツデータを提供しているウェブサーバの名称、当該ウェブサーバのウェブ上の場所を示す情報、および、当該コンテンツデータが受信された日時の中の少なくとも１つを含む、請求項１または請求項２に記載のコンテンツデータ再生装置。
【請求項４】
前記条件入力手段は、複数の条件を入力されることが可能であり、
前記決定手段は、前記条件入力手段に入力された複数の条件の論理積または論理和に基づいて、前記属性を検索する、請求項１〜請求項３のいずれかに記載のコンテンツデータ再生装置。
【請求項５】
前記条件入力手段は、前記コンテンツデータの属性を表示する表示手段を備え、前記表示手段の表示結果に基づいて前記コンテンツデータの属性を指定される情報を入力されることにより、前記第１の記憶手段に記憶されたコンテンツデータについての条件を入力される、請求項１〜請求項４のいずれかに記載のコンテンツデータ再生装置。
【請求項６】
前記再生手段が複数のコンテンツデータを再生させる場合、当該複数のコンテンツデータについて再生させる順序を入力される再生順序入力手段をさらに含み、
前記再生手段は、前記再生順序入力手段に入力された順序に従って、当該複数のコンテンツデータを連続して再生させる、請求項１〜請求項５のいずれかに記載のコンテンツデータ再生装置。
【請求項７】
コンテンツデータを記憶するステップと、
前記記憶されたコンテンツデータの属性を記憶するステップと、
前記記憶されたコンテンツデータについての条件の入力を受付けるステップと、
前記入力された条件に基づいて、前記記憶された属性を検索することにより、前記記憶されたコンテンツデータの中で当該条件に合致するものを決定するステップと、
前記条件に合致すると決定されたコンテンツデータを連続して再生させるステップとを含む、コンテンツデータ再生方法。
【請求項８】
コンテンツデータを再生させるためのプログラムを記録した記録媒体であって、
コンピュータに、
コンテンツデータを記憶するステップと、
前記記憶されたコンテンツデータの属性を記憶するステップと、
前記記憶されたコンテンツデータについての条件の入力を受付けるステップと、
前記入力された条件に基づいて、前記記憶された属性を検索することにより、前記記憶されたコンテンツデータの中で当該条件に合致するものを決定するステップと、
前記条件に合致すると決定されたコンテンツデータを連続して再生させるステップとを実行させる、コンテンツデータ再生プログラムを記録した記録媒体。
【発明の詳細な説明】
【技術分野】
【０００１】
本発明は、コンテンツデータの再生装置および方法、ならびに、記録媒体に関するものであり、特に、複数のコンテンツデータを連続的に再生するコンテンツデータの再生装置および方法、ならびに、記録媒体に関する。
【背景技術】
【０００２】
現在、画像，映像，および／または、音声からなるコンテンツデータを再生することのできる再生装置には、パーソナルコンピュータ（ＰＣ）や携帯端末（たとえば、携帯電話）が含まれるが、このような再生装置に関して、「スライドショー」等の名称で呼ばれる、複数のコンテンツデータを連続して再生する機能（以下、スライドショーと呼ぶ）が存在している。
【０００３】
従来の再生装置においてスライドショーのために実行されていた処理（連続再生処理）を、図１７のフローチャートを参照しつつ説明する。
【０００４】
スライドショーが行なわれる際には、まずＳＡ１で、ユーザによって、スライドショーで再生させたいデータの記憶されたフォルダが選択され、次に、ＳＡ２で、ユーザによって連続再生機能（スライドショー）を実行する旨の選択がなされ、そして、ＳＡ３で、ＳＡ１で選択されたフォルダ内のコンテンツデータが順次再生される。
【０００５】
なお、従来の再生装置においてユーザがコンテンツデータを記憶させているフォルダの記憶内容を特に整理していない状態で、スライドショーが実行されると、全く関連性のないコンテンツデータが順次再生されていく場合が生じる。フォルダの記憶内容が特に整理されていなければ、同一フォルダ内に、様々な種類のコンテンツデータが存在する場合もあるためである。このため、従来の再生装置では、関連性のあるコンテンツデータをまとめて同一フォルダに記憶させておく等、スライドショーにおける連続再生に意味をもたせようとする場合、ユーザは、そのために、予備的な作業を行なっていた。
【０００６】
予備的な作業とは、具体的には、たとえば、再生時の利便性を考慮したカテゴリの切り口を決定し、各カテゴリごとにフォルダを作成し、かつ、作成された各フォルダにコンテンツデータを振り分けて記憶させておくことが挙げられる。
【０００７】
一方、特許文献１には、コンテンツデータの発信者が、事前に、発信するコンテンツデータを提示する順序についての情報（提示順序情報）を作成する技術が開示されている。このような技術において利用されるコンテンツ送受信システムの構成を、図１８に、模式的に示す。
【０００８】
図１８を参照して、コンテンツ送受信システムは、コンテンツ提示順序情報作成装置１００およびコンテンツ提示装置１１０を含む。
【０００９】
コンテンツ提示順序情報作成装置１００は、コンテンツデータを送信するサーバであり、蓄積しているコンテンツデータに関する情報をコンテンツ情報記憶部１０１に保持している。また、コンテンツ提示順序情報作成装置１００は、提示順序情報作成部１０２を含み、当該提示順序情報作成部１０２内の提示順序情報作成ルール記憶部１０４に保持しているコンテンツ提示順序作成ルールに基づいて、順序情報作成部１０３において提示順序情報を作成する。作成された提示順序情報は、提示順序情報記憶部１０６に保持され、そして、提示順序情報送出部１０７から、コンテンツ提示順序情報作成装置１００外へ送信される。
【００１０】
コンテンツ提示装置１１０は、コンテンツ提示順序情報作成装置１００で作成された提示順序情報を、提示順序情報受信部１１１で受信し、提示順序情報記憶部１１２に保存する。コンテンツ提示装置１１０は、提示リスト作成部１１３を備え、当該提示リスト作成部１１３は、提示条件比較部１１５で、フィルタリング情報記憶部１１６に保存されているユーザの趣味嗜好情報を反映したフィルタリング情報と上記提示順序情報とのマッチングを行ない、条件に適合したコンテンツデータに関する情報をリスト作成部１１４にてリスト化し、リスト記憶部１１７に記憶する。コンテンツ提示部１１８は、該リストに基づいて、コンテンツデータベース（コンテンツＤＢ）１１９内のコンテンツデータからコンテンツデータをリストアップして提示する。
【特許文献１】特開２００２−１７５３３３公報
【発明の開示】
【発明が解決しようとする課題】
【００１１】
上記したように、従来の再生装置では、スライドショーにおける連続再生に意味をもたせようとする場合、ユーザによる予備的な作業が必要であり、煩雑であるという問題があった。予備的な作業の際、ユーザは、コンテンツデータをどのようなカテゴリで整理するかを考えた上で、各カテゴリごとに予めフォルダを作成しておかなければならず、さらに、一般的に、そのようにして作成された各フォルダにコンテンツデータを振り分ける作業はユーザ自身で考えながら行なわければならなかったからである。
【００１２】
また、一度或るカテゴリに対応したフォルダ振り分けられてしまったコンテンツデータは、複数のカテゴリに属する要素を有するとしても、複数のカテゴリのいずれにも属するように扱うことも困難であった。
【００１３】
例えば、「ひなまつり」フォルダと「孫の花子」フォルダが作成された上で、コンテンツデータの振り分けが行なわれたとする。この場合、ユーザは、孫の花子のひなまつり関連のコンテンツデータ、つまり、上記２つのフォルダのいずれにも振り分けられると考えられるコンテンツデータについては、どちらのフォルダに分類すべきか迷ってしまう。そして、ユーザが、そのようなコンテンツデータを「ひなまつり」フォルダに振り分けた場合は、「孫の花子」フォルダ内のコンテンツデータをスライドショーで連続再生させても、そのようなコンテンツデータ（孫の花子のひなまつり関連のコンテンツデータ）は再生されない。かと言って、そのようなコンテンツデータを「孫の花子」フォルダに振り分けた場合には、「ひなまつり」フォルダ内にそのようなコンテンツデータ（孫の花子のひなまつり関連のコンテンツデータ）はなくなってしまう。
【００１４】
また、このような場合に、いずれのフォルダにもそのようなコンテンツデータが振り分けられることにより、つまり、当該コンテンツデータが、複製されていずれのフォルダにも配置されれば、いずれのフォルダ内のコンテンツデータをスライドショーで連続再生させても、当該コンテンツデータを再生させることができる。
【００１５】
ただし、このような場合には、ユーザに煩雑な作業を要するだけでなく、同じコンテンツデータが複数記憶されることによって余計なメモリ容量が使用されるという問題も生じる。
【００１６】
一方、図１８を用いて説明したように、コンテンツ発信者によって事前にコンテンツ提示順序情報が作成される場合には、コンテンツデータの視聴者側には特に作業を必要とはしないが、コンテンツ発信者側は、提示順序情報を事前に作成しておかなければならず、また、設備的にも、図１８に示されたシステムに対応した、サーバを中心に、コンテンツの送信側および受信側を含めたシステムの構築が必要となり、大きなコストがかかるという問題があった。
【００１７】
本発明は、かかる実情に鑑み考え出されたものであり、その目的は、ユーザによる煩雑な作業やシステム構築のための大きなコストを要することなく、複数のコンテンツデータの中から互いに関連性のあるコンテンツデータを選択し、そして、それらを連続的に再生させることができるようにすることである。
【課題を解決するための手段】
【００１８】
本発明に従ったコンテンツデータ再生装置は、コンテンツデータを記憶する第１の記憶手段と、前記第１の記憶手段に記憶されたコンテンツデータの属性を記憶する第２の記憶手段と、前記第１の記憶手段に記憶されたコンテンツデータについての条件を入力される条件入力手段と、前記条件入力手段に入力された条件に基づいて、前記第２の記憶手段に記憶された属性を検索することにより、前記第１の記憶手段に記憶されたコンテンツデータの中で当該条件に合致するものを決定する、決定手段と、前記決定手段によって前記条件に合致すると決定されたコンテンツデータを、前記第１の記憶手段から読込み、連続して再生させる再生手段とを含むことを特徴とする。
【００１９】
本発明に従うと、条件を入力されることにより、コンテンツデータ再生装置は、当該条件と合致する属性を有するコンテンツデータを連続して再生させることができる。
【００２０】
また、本発明のコンテンツデータ再生装置は、外部の装置からメールを送受信するメール送受信手段をさらに含み、そして、当該コンテンツデータ再生装置では、前記コンテンツデータの属性は、当該コンテンツデータが添付されていたメールの、件名、送信元についての情報、送信宛先についての情報、送信日時、および、受信日時の中の少なくとも１つを含むことが好ましい。
【００２１】
また、本発明のコンテンツデータ再生装置は、コンテンツデータを提供可能な外部の装置からコンテンツデータを受信するコンテンツデータ受信手段をさらに含み、そして、当該コンテンツデータ再生装置では、前記コンテンツデータの属性は、当該コンテンツデータを提供しているウェブサーバの名称、当該ウェブサーバのウェブ上の場所を示す情報、および、当該コンテンツデータが受信された日時の中の少なくとも１つを含むことが好ましい。
【００２２】
また、本発明のコンテンツデータ再生装置では、前記条件入力手段は、複数の条件を入力されることが可能であり、前記決定手段は、前記条件入力手段に入力された複数の条件の論理積または論理和に基づいて、前記属性を検索することが好ましい。
【００２３】
また、本発明のコンテンツデータ再生装置では、前記条件入力手段は、前記コンテンツデータの属性を表示する表示手段を備え、前記表示手段の表示結果に基づいて前記コンテンツデータの属性を指定される情報を入力されることにより、前記第１の記憶手段に記憶されたコンテンツデータについての条件を入力されることが好ましい。
【００２４】
また、本発明のコンテンツデータ再生装置は、前記再生手段が複数のコンテンツデータを再生させる場合、当該複数のコンテンツデータについて再生させる順序を入力される再生順序入力手段をさらに含み、そして、当該コンテンツデータ再生装置では、前記再生手段は、前記再生順序入力手段に入力された順序に従って、当該複数のコンテンツデータを連続して再生させることが好ましい。
【００２５】
本発明に従ったコンテンツデータ再生方法は、コンテンツデータを記憶するステップと、前記記憶されたコンテンツデータの属性を記憶するステップと、前記記憶されたコンテンツデータについての条件の入力を受付けるステップと、前記入力された条件に基づいて、前記記憶された属性を検索することにより、前記記憶されたコンテンツデータの中で当該条件に合致するものを決定するステップと、前記条件に合致すると決定されたコンテンツデータを連続して再生させるステップとを含むことを特徴とする。
【００２６】
本発明に従った記録媒体は、コンテンツデータを再生させるためのプログラムを記録した記録媒体であって、コンピュータに、コンテンツデータを記憶するステップと、前記記憶されたコンテンツデータの属性を記憶するステップと、前記記憶されたコンテンツデータについての条件の入力を受付けるステップと、前記入力された条件に基づいて、前記記憶された属性を検索することにより、前記記憶されたコンテンツデータの中で当該条件に合致するものを決定するステップと、前記条件に合致すると決定されたコンテンツデータを連続して再生させるステップとを実行させるコンテンツデータ再生プログラムを記録していることを特徴とする。
【発明の効果】
【００２７】
本発明によると、入力された条件に合致したコンテンツデータを連続して再生させる際に、ユーザがコンテンツデータを種々のフォルダに振り分ける必要がなく、また、上記したような提示順序情報を装置側で予め生成しておく必要もない。したがって、コンテンツデータ再生装置において、ユーザによる煩雑な作業やシステム構築のための大きなコストを要することなく、複数のコンテンツデータの中から互いに関連性のあるコンテンツデータが選択され、そして、それらが連続的に再生される。
【００２８】
また、本発明によると、コンテンツデータ再生装置は、複数の条件を入力され、当該複数の条件の論理積または論理和に基づいて、連続して再生させるコンテンツデータを決定することができる。
【００２９】
また、本発明によると、条件の入力に際して、入力する者は、属性を表示され、そして、当該表示された属性に基づいて属性を指定する情報を入力することができる。これにより、コンテンツデータ再生装置における条件の入力のための操作が容易になる。
【００３０】
また、本発明によると、コンテンツデータ再生装置は、複数のコンテンツデータを、再生順序入力手段に入力された順序に従って、つまり、再生順序入力手段を操作する者にとって好ましい態様で、再生することができる。
【発明を実施するための最良の形態】
【００３１】
図１は、本発明のコンテンツデータ再生装置の一実施の形態である携帯電話機の斜視図である。
【００３２】
携帯電話機１には、筐体２と筐体３が含まれ、これらは、軸４によって、互いに回動可能に連結されている。図２に、図１に示された携帯電話機１の裏面側の斜視図を示す。
【００３３】
筐体２には、たとえばＴＦＴ（Thin Film Transistor）液晶からなる、表示部２０が設けられている。また、筐体２の表示部２０の裏面には、カメラ部２１が設けられている。
【００３４】
筐体３には、カメラ部３によるシャッタ動作のためおよび撮影して得られた画像データ（画像ファイル）を保存するために操作されるシャッタボタン３１、表示部２０に表示された内容に対して指示を入力するマルチキー３２およびキー３３〜３６、および、電話番号や文字（数字を含む）を入力するために操作される複数のボタンからなるダイヤルボタン３０が備えられている。
【００３５】
また、筐体３の各種ボタンおよびキーが備えられている面の裏側には、通信のためのアンテナ３Ａが備えられている。携帯電話機１は、周知の技術を用いることにより、電子メールの送受信、および、インターネット等の外部のネットワークへの接続が可能となるよう構成されている。
【００３６】
図３は、携帯電話機１の、コンテンツデータの保存および再生を行なう部分を示す、部分的な制御ブロック図である。
【００３７】
携帯電話機１は、画像等のコンテンツデータの保存を行なうコンテンツ保存処理部４０を備えている。
【００３８】
ユーザが、画像ファイルを保存するための操作を行なうと、コンテンツ保存管理部４４は、コンテンツ情報取得部４３に、当該コンテンツデータについての情報（コンテンツ情報）をコンテンツ情報データベース（コンテンツ情報ＤＢ）７０に登録する要求（情報登録処理要求）を出す。なお、画像ファイルを保存するための操作とは、たとえば、筐体３に設けられたボタンおよび／またはキーを操作することによりなされる。
【００３９】
そして、コンテンツ情報取得部４３は、情報登録処理要求を受取ると、必要に応じて通信部４１とやり取りを行ないながら、当該コンテンツ情報を取得し、それをコンテンツ情報ＤＢ７０に登録する。そして、コンテンツ情報取得部４３によるコンテンツ情報の登録が終了すると、コンテンツ保存管理部４４は、コンテンツデータベース（コンテンツＤＢ）６０に、当該コンテンツデータを登録する。
【００４０】
図４は、コンテンツ情報としてコンテンツ情報ＤＢ７０に登録されている内容を表形式で示す図である。
【００４１】
図４に示された表では、複数のコンテンツ情報が、登録された順にそれぞれ番号を与えられて、登録されている。図４中の「Ｎｏ．」の欄に記載された数字が、各コンテンツ情報に与えられた番号を示している。
【００４２】
各コンテンツ情報は、対応するコンテンツデータ（画像データ等）のファイル名、当該コンテンツデータが作成された日時、当該コンテンツデータが携帯電話機１において取得された方法（取得法）、当該コンテンツデータが電子メール等に添付されてきた場合の当該電子メールの件名（サブジェクト）、当該コンテンツデータが添付された電子メールの送信者または当該コンテンツデータの保存先である外部ネットワークのＵＲＬ（Uniform Resource Locator）、当該コンテンツデータが携帯電話機１に取得された日時、および、チェックの有無を含む。なお、電子メールの送信者（表内の「送信者・ＵＲＬ」の欄に記載される事項）は、「Ｎｏ．１」の「送信者・ＵＲＬ」の欄に「Ｂ子」と記載されているように、予め携帯電話機１内の電話帳に登録されている送信者であれば、当該電話帳内に登録された名称で記録されていることもある。
【００４３】
コンテンツ情報において、ファイル名には、たとえば、Ｎｏ．１の「abc.jpg」というように、「abc」という名称と、その後に「.」で区切られて記載される、「jpg」というデータの形式（この例では、ＪＰＥＧ：Joint Photographic Experts Group）を示す情報とが含まれる。
【００４４】
取得法には、電子メールの添付ファイルとして取得されたことを示す情報（「mail」という文字列）、外部のネットワークから取得されたことを示す情報（「web」という文字列）、または、「own」というカメラ部２１による撮影により取得されたことを示す情報と、その後に「＿」で区切られて記載される、「jpg」というデータの形式を示す情報とが含まれる。
【００４５】
ここで、携帯電話機１において、ユーザによってカメラ部２１により撮影した画像データが保存される際に、携帯電話機１内で実行される処理の一例について説明する。
【００４６】
ユーザが、筐体３上の各種キーおよびボタンに対して、カメラ部２１を用いて画像を撮影する操作を行なった後、当該画像を携帯電話機１内に保存させるための操作を行うと、コンテンツ保存管理部４４は、カメラ部２１で生成された画像データを、撮影された画像データの保存用のデフォルト・フォルダ（コンテンツＤＢ６０内に予め生成されている）に該画像ファイルを保存させる。また、これと共に、コンテンツ保存管理部４４は、コンテンツ情報取得部４３に、当該画像データの情報（図４に示した表に挙げられた情報）をコンテンツ情報ＤＢ７０に登録させる。
【００４７】
なお、カメラ部２１によって撮影された動画データ（動画ファイル）が保存される場合も、上記した画像データの保存の際と同様の処理が実行されると考えられる。
【００４８】
次に、ユーザによって、電子メールに添付されてきた画像データが携帯電話機１に保存される際に、携帯電話機１内で実行される処理の一例について説明する。
【００４９】
ユーザが、筐体３上の各種キーおよびボタンに対して、電子メールに添付されたコンテンツデータを取得するために必要な操作がなされると、コンテンツ保存管理部４４は、電子メールに添付された画像データを保存するためのデフォルト・フォルダ（コンテンツＤＢ６０内の予め定められたフォルダ）に当該画像データを保存する。なお、電子メール自体は、通信部４１を介して受信され、受信メール蓄積部４２に蓄積される。そして、画像データの保存と共に、コンテンツ保存管理部４４は、コンテンツ情報取得部４３に、当該画像データの情報（図４に示した表に挙げられた情報）をコンテンツ情報ＤＢ７０に登録させる。なお、電子メールに添付された、動画データの保存の際にも、同様の処理がなされる。
【００５０】
次に、ユーザが、携帯電話機１の外部のネットワークのウェブ上から、画像データを、携帯電話機１内に取得する際に、携帯電話機１内で実行される処理の一例について説明する。
【００５１】
ユーザが、筐体３上の各種キーおよびボタンに対して、ウェブ上より画像データの取得に必要なボタン操作を行なうと、コンテンツ保存管理部４４は、当該画像データを保存するためのデフォルト・フォルダ（コンテンツＤＢ６０内の予め定められたフォルダ）に当該画像データを保存する。そして、画像データの保存と共に、コンテンツ保存管理部４４は、コンテンツ情報取得部４３に、当該画像データの取得先であるウェブサイトのＵＲＬの取得等を行なわせ、そして、当該画像データの情報（図４に示した表に挙げられた情報）をコンテンツ情報ＤＢ７０に登録させる。
【００５２】
なお、コンテンツ情報ＤＢ７０に登録される情報には、コンテンツ受信時に取得される項目の他、その後にユーザが行なった操作項目も含まれる。たとえば、図４に示された表には、チェック欄が設けられており、当該チェック欄には、ユーザが任意のコンテンツのグループ化を行なうために、チェックの有無を登録できる。このようなチェック欄へのチェックの有無の登録は、一般の電子メールソフトにおいても採用されている、いわゆる「チェック」または「フラグ」という機能と同様に、ユーザが任意に選択したコンテンツにチェックをつけておくことのできる機能に対応している。チェック欄に対するチェックの有無の登録内容の変更は、ユーザが所定の操作を行なうことにより、何度でも変更できるものとしてよい。所定の操作とは、たとえば、コンテンツＤＢ６０に保存されたコンテンツが一覧表示されている場合に、ユーザが、任意のコンテンツに選択位置を合わせた状態で、ユーザが特定のキーに対して行なう操作、とすることができる。さらに、ユーザの、当該特定のキーに対する操作回数に応じて、順次、チェックの状態が切り換わるようにされてもよい。具体的には、当該特定のキーに対する操作回数に応じて「チェック無し→赤チェック→青チェック→黄チェック→チェック無し」といった具合に、チェックの状態が順次切り替わるように構成されてもよい。ここで、チェックが色分けされているのは、これにより、当該チェックに対応するコンテンツが色に対応してグループ分けされることを意味している。また、図４に示された表に記載されるように、チェック欄に記載された「check１」「check２」という「check」の後に付けられた数字によって、コンテンツのグループ分けがなされてもよい。
【００５３】
次に、ユーザが携帯電話機１内のコンテンツデータの連続再生を行なわせる際に、携帯電話機１側で実行される処理の一例について、当該処理のフローチャートである図５および図６を参照しつつ、説明する。
【００５４】
ユーザが、筐体３上の各種キーおよびボタンに対して、携帯電話１のコンテンツデータを連続再生させるための操作を行なうと、連続再生管理部５２は、表示部２０に、たとえば図７に示すような、連続再生に対する設定の初期画面を表示させる（ステップＳ１：以下、本明細書ではステップを省略する）。
【００５５】
図７に示された画面２００には、現在実行中の処理のタイトル（「連続再生」）を表示するタイトル表示欄２０１、ユーザに対して入力できる事項の候補を表示する欄２０２、ならびに、キー３３、シャッタボタン３１、キー３４のそれぞれにアサインされた機能を表示する欄２０３〜２０５が表示されている。
【００５６】
なお、初期画面には、ユーザに、連続再生において、携帯電話機１内のすべての画像ファイル（画像データ）を再生させるか、携帯電話機１において予め登録されたカテゴリに分類される画像ファイルのみを再生させるか、または、これから新たに登録するカテゴリに分類される画像ファイルのみを再生させるか、という連続再生についての初期条件を、ユーザに選択させるメッセージが表示されている。
【００５７】
そして、連続再生管理部５２は、Ｓ２で、ユーザから入力される初期条件の内容を判断する。そして、入力された初期条件が、携帯電話機１内のすべての画像ファイルを再生させるものであればＳ１２へ、携帯電話機１において予め登録されたカテゴリに分類される画像ファイルのみを再生させるものであればＳ１０へ、そして、これから新たに登録するカテゴリに分類される画像ファイルのみを再生させるものであればＳ３へ、それぞれ処理を進める。
【００５８】
Ｓ３では、連続再生管理部５２は、表示部２０に、たとえば図８に示されるような、ユーザにカテゴリを選択させるための項目（属性）を表示させる。
【００５９】
図８に示された画面２１０には、タイトル表示欄２１１、カテゴリ選択のための項目を表示する欄２１２、および、キー３３，キー３４のそれぞれにアサインされた機能を表示する欄２１３，２１４が表示されている。なお、欄２１２には、メール等のサブジェクト、メール送信者、メール送信先、メール送信日時、ウェブ・サーバ、ウェブ取得日時、および、チェック種別の７個の項目が表示されている。これらの７項目は、図４に示された表の項目に対応している。具体的には、サブジェクトは表中の「サブジェクト」に、メール送信者は表中の「送信者・ＵＲＬ」に記載され携帯電話機１内の電話帳に登録された送信者に、メール送信先は電子メールの送信元であって表中の「送信者・ＵＲＬ」に記載された送信元のアドレスに、メール送信日時は電子メールに添付されたコンテンツデータについてであって表中の「取得日時」に、ウェブ・サーバはウェブ上から取得したコンテンツデータについてであって「送信者・ＵＲＬ」に記載されたＵＲＬに、そして、ウェブ取得日時はウェブ上から取得されたコンテンツデータについてであって表中の「取得日時」に、チェック種別はユーザが任意に行なったコンテンツのグループ分けを利用する方法であり表中「チェック」に、それぞれ対応している。
【００６０】
そして、Ｓ４で、連続再生管理部５２は、ユーザから、Ｓ３で表示させた項目を選択するための入力内容を受付ける。
【００６１】
次に、Ｓ５で、連続再生管理部５２は、表示部２０に、たとえば図９に示されるような、Ｓ４で入力を受付けた項目の中にあるカテゴリの一覧を表示させる。
【００６２】
図９に示された画面２２０には、タイトル表示欄２２１、選択された項目を表示する項目表示欄２２３、カテゴリを一覧表示させる一覧表示欄２２２、および、キー３３，３４のそれぞれにアサインされた機能を表示する欄２２４，２２５が表示されている。なお、図９に示された画面では、項目として「メール送信者」が選択された場合を示している。つまり、項目表示欄２２３には、「メール送信者」と表示され、一覧表示欄２２２には、図４に示した表内に存在するメール送信者の一覧が表示されている。
【００６３】
そして、Ｓ６で、連続再生管理部５２は、Ｓ５で表示させたカテゴリの中から、ユーザによるカテゴリの選択内容を受付ける。このとき、表示部２０には、たとえば図１０に示されるような、ユーザが選択した内容を表示する画面が表示される。
【００６４】
具体的には、図１０に示された画面２３０には、タイトル表示欄２３１、選択されたカテゴリを確認のために表示する欄２３３、および、キー３３，シャッタボタン３１，キー３４のそれぞれにアサインされた機能を表示する欄２３４，２３５，２３６が表示されている。さらに、画面２３０には、カテゴリを追加して入力するか否かをユーザに問いかけるメッセージを表示する欄２３２が表示されている。
【００６５】
そして、Ｓ７で、連続再生管理部５２は、ユーザから、カテゴリを追加するか否かの意思の入力を受付け、その内容を判断する。そして、追加して入力する旨の情報を入力されたと判断すると、Ｓ３に処理を戻す。一方、カテゴリの追加を行なわない旨の情報を入力されたと判断すると、Ｓ８に処理を進める。
【００６６】
Ｓ３に処理が戻された場合、再度、図８に示された画面２１０のように、表示部２０にカテゴリ選択のための項目が表示される。そして、項目が選択されるとそれが受付けられ（Ｓ４）、受付けられた項目に従って、図１１に示される画面のように、表示部２０にカテゴリの一覧が表示される（Ｓ５）。そして、カテゴリの選択内容が受付けられると（Ｓ６）、図１２に示される画面のように、これまで選択されたすべてのカテゴリが、カテゴリのさらなる追加の有無を問うメッセージとともに、表示部２０に表示される。
【００６７】
図１１に示された画面２４０には、タイトル表示欄２４１、項目表示欄２４３、一覧表示欄２４２、および、キー３３，３４のそれぞれにアサインされた機能を表示する欄２４４，２４５が表示されている。なお、図１１に示された画面では、項目として「ウェブ・サーバ」が選択された場合を示している。つまり、項目表示欄２４３には、「ウェブ・サーバ」と表示され、一覧表示欄２４２には、図４に示した表内に存在するＵＲＬ（対応するウェブサイト名）の一覧が表示されている。
【００６８】
また、図１２に示された画面２５０には、タイトル表示欄２５１、これまでに選択されたすべてのカテゴリを確認のために表示する欄２５３、および、キー３３，シャッタボタン３１，キー３４のそれぞれにアサインされた機能を表示する欄２５４，２５５，２５６が表示されている。また、画面２５０には、カテゴリを追加して入力するか否かをユーザに問いかけるメッセージを表示する欄２５２が表示されている。
【００６９】
Ｓ８で、連続再生管理部５２は、再度、表示部２０に、選択されたすべてのカテゴリを表示させる。
【００７０】
そして、Ｓ９で、連続再生管理部５２は、ユーザからの、選択されたすべてのカテゴリを連続再生させるデータを選出する際にどのように取扱うかについての方法の入力を受付ける。そして、連続再生管理部５２は、表示部２０に、たとえば図１３に示すように、入力された取扱方法を、確認のために表示させる。なお、取扱方法としては、１つ目として、複数のカテゴリを論理和の要素として取扱う方法、つまり、ＸとＹというカテゴリが選択されている場合、ＸまたはＹのいずれかの条件を満たすコンテンツデータを連続再生用に選出してくる方法が挙げられる。また、２つ目としては、複数のカテゴリを論理積の要素として取扱う方法、つまり、ＸとＹというカテゴリが選択されている場合、ＸおよびＹの条件を満たすコンテンツデータを連続再生用に選出してくる方法が挙げられる。
【００７１】
図１３に示された画面２６０は、選択された複数のカテゴリを論理和の要素として取扱われる際の表示画面を示している。つまり、図１３に示された画面２６０では、タイトル表示欄２６１、これまでに選択されたすべてのカテゴリを確認のために表示する欄２６２、および、キー３３，シャッタボタン３１，キー３４のそれぞれにアサインされた機能を表示する欄２６４，２６５，２６６が表示されており、欄２６２には、メール送信者が「Ｂ子」であるか、または、ウェブサーバが「花子のアルバム」であるコンテンツデータを、連続再生の際の再生させるコンテンツデータとして選出する旨が表示されている。Ｓ９の処理の後、Ｓ１２に処理が進められる。
【００７２】
一方、連続再生管理部５２は、Ｓ１０で、たとえば、図１４に示されるような画面のように、携帯電話機１において登録されているカテゴリの内容を、表示部２０に表示させる。
【００７３】
図１４に示された画面２８０には、タイトル表示欄２８１、および、キー３３，シャッタボタン３１，キー３４のそれぞれにアサインされた機能を表示する欄２８８，２８４，２８５が表示されている。さらに、画面２８０内の欄２８２には、１つ目の内容として、メール送信者が「Ａ子」であるか、または、ウェブサイト名（図１４中には「ウェブ・サーバ」と記載）が「太郎のアルバム」であるものが表示され、また、２つ目の内容として、メールサブジェクトが「お花見」であるものが表示されている。
【００７４】
そして、連続再生管理部５２は、Ｓ１１で、ユーザから、Ｓ１０で表示させた内容から１つの内容を選択する内容を受付けて、Ｓ１２に処理を進める。これにより、カテゴリ、および、その取扱方法が決定される。
【００７５】
Ｓ１２で、連続再生管理部５２は、それまでに入力されたカテゴリ、および、その取扱方法に応じて、再生コンテンツ抽出部５１に、連続再生において再生させるコンテンツデータを検索（選出）させる。
【００７６】
次に、Ｓ１３で、連続再生管理部５２は、ユーザから、連続再生の開始を希望する情報が入力されたか、または、連続再生の際の再生態様を設定することを希望する情報が入力されたかを判断する。そして、再生の開始を希望する情報が入力されたと判断されると、Ｓ１６に処理が進められ、再生態様の設定を希望する情報が入力されたと判断されると、Ｓ１４に処理が進められる。
【００７７】
Ｓ１４では、連続再生管理部５２は、表示部２０に、たとえば図１５に示される画面のように、再生態様の候補を表示させる。
【００７８】
図１５に示された画面２７０には、タイトル表示欄２７１、再生速度の候補が表示される欄２７２、および、キー３３，３４のそれぞれにアサインされた機能を表示する欄２７３，２７４が表示されている。なお、欄２７２には、再生速度として、「ゆっくり」「普通」「速め」の３つの再生速度、および、連続再生中にユーザが所定のキー（図１５中ではＦキー）を操作したことを条件として次のコンテンツデータが再生されるメニュー（図１５中の「マニュアル」）が表示されている。
【００７９】
そして、連続再生管理部５２は、Ｓ１５で、ユーザから入力される再生態様の設定内容を受付けて、処理をＳ１６に進める。
【００８０】
そして、Ｓ１６で、連続再生管理部５２は、Ｓ１２で選出されたコンテンツデータを、再生処理部５３によって、表示部２０等の表示装置において連続的に再生させる。
【００８１】
表示部２０において連続再生が行なわれる場合、たとえば図１６に画面２９０として示されるように、表示部２０には、タイトル表示欄２９１と、これから再生が表示されることを示すメッセージ欄２９３と、キー３３にアサインされた機能を表示する欄２９４が表示される。そして、連続再生が表示されると、メッセージ欄２９３の表示が消え、欄２９２において、種々のコンテンツデータが連続的に入れ替えられて表示される。
【００８２】
なお、Ｓ２において、携帯電話機１内のすべての画像ファイル（画像データ）を連続再生に用いる旨の判断がなされている場合には、Ｓ１６では、コンテンツＤＢ６０内のすべてのコンテンツデータが読出され再生される。
【００８３】
また、以上、図５および図６を主に参照して説明した連続再生処理は、画像データのみの連続再生について説明されたが、連続的に再生されるコンテンツデータは、画像データのみに限られず、動画データであっても良いし、音声データであっても良いし、これらが混合されて、順に再生されても良い。
【００８４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８５】
【図１】本発明のコンテンツデータ再生装置の一実施の形態である携帯電話機の斜視図である。
【図２】図１に示された携帯電話機の裏面側の斜視図である。
【図３】図１に示された携帯電話機の、コンテンツデータの保存および再生を行なう部分を示す、部分的な制御ブロック図である。
【図４】図１に示された携帯電話機において、コンテンツ情報としてコンテンツ情報ＤＢに登録されている内容を表形式で示す図である。
【図５】図１に示された携帯電話機内のコンテンツデータの連続再生が行なわれる際に、当該携帯電話機側で実行される処理のフローチャートである。
【図６】図１に示された携帯電話機内のコンテンツデータの連続再生が行なわれる際に、当該携帯電話機側で実行される処理のフローチャートである。
【図７】図５および図６に示された処理が実行される際に図１に示された携帯電話機の表示部に示される画面の一例を示す図である。
【図８】図５および図６に示された処理が実行される際に図１に示された携帯電話機の表示部に示される画面の一例を示す図である。
【図９】図５および図６に示された処理が実行される際に図１に示された携帯電話機の表示部に示される画面の一例を示す図である。
【図１０】図５および図６に示された処理が実行される際に図１に示された携帯電話機の表示部に示される画面の一例を示す図である。
【図１１】図５および図６に示された処理が実行される際に図１に示された携帯電話機の表示部に示される画面の一例を示す図である。
【図１２】図５および図６に示された処理が実行される際に図１に示された携帯電話機の表示部に示される画面の一例を示す図である。
【図１３】図５および図６に示された処理が実行される際に図１に示された携帯電話機の表示部に示される画面の一例を示す図である。
【図１４】図５および図６に示された処理が実行される際に図１に示された携帯電話機の表示部に示される画面の一例を示す図である。
【図１５】図５および図６に示された処理が実行される際に図１に示された携帯電話機の表示部に示される画面の一例を示す図である。
【図１６】図５および図６に示された処理が実行される際に図１に示された携帯電話機の表示部に示される画面の一例を示す図である。
【図１７】従来の再生装置においてスライドショーのために実行されていた連続再生処理のフローチャートである。
【図１８】従来のコンテンツ送受信システムの構成を模式的に示す図である。
【符号の説明】
【００８６】
１  携帯電話機、２，３  筐体、３Ａ  アンテナ、４  軸、２０  表示部、２１  カメラ部、３０  ダイヤルボタン、３１  シャッタボタン、３２  マルチキー、３３〜３６  キー、２００，２１０，２２０，２３０，２４０，２５０，２６０，２７０，２８０，２９０  画面。
【図１】
2005092673.tif 000003
【図２】
2005092673.tif 000004
【図３】
2005092673.tif 000005
【図４】
2005092673.tif 000006
【図５】
2005092673.tif 000007
【図６】
2005092673.tif 000008
【図７】
2005092673.tif 000009
【図８】
2005092673.tif 000010
【図９】
2005092673.tif 000011
【図１０】
2005092673.tif 000012
【図１１】
2005092673.tif 000013
【図１２】
2005092673.tif 000014
【図１３】
2005092673.tif 000015
【図１４】
2005092673.tif 000016
【図１５】
2005092673.tif 000017
【図１６】
2005092673.tif 000018
【図１７】
2005092673.tif 000019
【図１８】
2005092673.tif 000020